(57)【要約】【課題】収納ボックスに物を入れる際に邪魔にならず、また、収納ボックス同士をずらして連結することができる収納ボックス用スタンドを提供すること。【解決手段】底面１０７よりも下方に突出した側壁１０６を有する収納ボックス１０５を連結するために用いられる収納ボックス用スタンド１００であって、側壁１０６の下端部１０６ａに嵌合する嵌合用凹部１０１と、嵌合用凹部１０１から水平方向に突出したフランジ部１０２と、を有し、嵌合用凹部１０１を収納ボックスの側壁１０６の下端部に１０６ａに嵌合し、収納ボックスの側壁１０６の上端部にフランジ部１０２を載せることにより、収納ボックス１０５を複数連結することができる収納ボックス用スタンド１００を提供する。【選択図】図１
2004210348.tif 000002
【特許請求の範囲】
【請求項１】
底面と、前記底面よりも下方に突出した側壁と、を有する収納ボックスを複数連結するために用いられる収納ボックス用スタンドであって、
前記側壁の下端部に嵌合する嵌合用凹部と、前記嵌合用凹部の所定位置から前記側壁の外周面側の水平方向に突出したフランジ部と、を有し、
前記嵌合用凹部を第一の収納ボックスの側壁の下端部に嵌合し、第二の収納ボックスの側壁の上端部に前記フランジ部を載せることにより、前記第一の収納ボックスと前記第二の収納ボックスとを連結することができるようにしたことを特徴とする収納ボックス用スタンド。
【請求項２】
前記嵌合用凹部には、前記嵌合用凹部から上方に突出し、前記第一の収納ボックスの側壁の外側面を支持する第一の突出部が設けられていることを特徴とする請求項１に記載の収納ボックス用スタンド。
【請求項３】
前記第一の突出部の上端部には、嵌着用の凸部が形成されており、
前記凸部は、前記第一の収納ボックスの側壁の外周面に形成された嵌着用の凹部に嵌着するものであることを特徴とする請求項２に記載の収納ボックス用スタンド。
【請求項４】
前記フランジ部には、前記フランジ部から下方に突出し、前記第二の収納ボックスの側壁の内側面を支持する第二の突出部が設けられていることを特徴とする請求項１乃至３の何れか一項に記載の収納ボックス用スタンド。
【請求項５】
前記第一の収納ボックスと、前記第二の収納ボックスと、を側壁のコーナー部で連結するよう、９０°に折曲げられていることを特徴とする請求項１乃至４の何れか一項に記載の収納ボックス用スタンド。
【請求項６】
前記第一の収納ボックスと、前記第二の収納ボックスと、を側壁の直線部分で連結するよう、直線状に形成されていることを特徴とする請求項１乃至４の何れか一項に記載の収納ボックス用スタンド。
【請求項７】
底面と、前記底面よりも下方に突出した側壁と、を有する複数の収納ボックスと、
請求項１乃至６の何れか一項に記載された収納ボックス用スタンドと、を備えることを特徴とする収納ボックスセット。
【発明の詳細な説明】
【発明の属する技術分野】
本発明は、衣料や靴等を収納する収納ボックスを結合させるために使用される収納ボックス用スタンド及びこの収納ボックス用スタンドを備える収納ボックスセットに関する。
【従来の技術】
従来から、衣料や靴を収納するために収納ボックスが使用されているが、従来から使用されている収納ボックスは、図５に表されている収納ボックス３２０のように、底面３２１の横断面積よりも上端の開口部３２２の横断面積の方が大きく形成されており、収納ボックス３２０同士を嵌め合わせることができるようにされていた。
従来の収納ボックス３２０は、中に何も入っていない状態で運搬や保管する際には、収納ボックス３２０同士を嵌め合わせることで一つにまとめることができ便利であったが、中に物を入れた際には、収納ボックス同士を連結することができず不便であった。
そして、このような不具合を解消するため、従来の収納ボックス３２０を複数連結させるために、収納ボックス用スタンドが使用されていた。
従来の収納ボックス用スタンドとしては、実開平２−１４４５３６号公報に記載された収納ボックス用スタンドがあった。
実開平２−１４４５３６号公報に記載された収納ボックス用スタンド４００は、図６に表されているように、角部４３０で交わる二つの側片４３１Ａ、４３１Ｂ、挿入溝４３２Ａ，４３２Ｂ及び棚部４３３Ａ、４３３Ｂを縦断面ほぼｈ字状に形成しており、第一の収納ボックスの側壁のコーナー部の上端部を挿入溝４３２Ａ，４３２Ｂに挿入することにより、第一の収納ボックスにこの収納ボックス用スタンド４００を固定して、第二の収納ボックスの側壁の下端部を側片４３１Ａ、４３１Ｂと棚部４３３Ａ、４３３Ｂとの間に位置させることで、これらの第一の収納ボックスと第二の収納ボックスとを連結することができるようにしていた。
【特許文献１】
実開平２−１４４５３６号公報
【発明が解決しようとする課題】
しかしながら、従来の収納ボックス用スタンド４００では、収納ボックスの側壁の上端部に固定するようにしていたため、この収納ボックスに衣類や靴等を入れる場合に、この収納ボックス用スタンド３００が邪魔になっていた。
また、従来の収納ボックス用スタンドでは、収納ボックスの側壁のコーナーに取り付けるようにしていたため、収納ボックス同士をずらして連結することはできなかった。
そこで、本発明は、収納ボックスに物を入れる際に邪魔にならず、また、収納ボックス同士をずらして連結することができる収納ボックス用スタンド及びこのような収納ボックス用スタンドを備える収納ボックスセットを提供することを目的とする。
【課題を解決するための手段】
以上の課題を解決するため、本発明は、底面と、前記底面よりも下方に突出した側壁と、を有する収納ボックスを複数連結するために用いられる収納ボックス用スタンドであって、前記側壁の下端部に嵌合する嵌合用凹部と、前記嵌合用凹部の所定位置から前記側壁の外周面側の水平方向に突出したフランジ部と、を有し、前記嵌合用凹部を第一の収納ボックスの側壁の下端部に嵌合し、第二の収納ボックスの側壁の上端部に前記フランジ部を載せることにより、前記第一の収納ボックスと前記第二の収納ボックスとを連結することができるようにしたことを特徴とする収納ボックス用スタンドを提供することを目的とする。
本発明に係る収納ボックス用スタンドは、収納ボックスの側壁の下端部に取り付けることから、本発明に係る収納ボックス用スタンドを使用する収納ボックスは、底面と、この底面よりも下方に突出している側壁と、を有している必要がある。
そして、本発明に係る収納ボックス用スタンドでは、底面よりも下方に突出している側壁の下方から側壁の下端部に嵌合する嵌合用凹部と、この嵌合用凹部の所定の位置から側壁の外周面側の水平方向に突出したフランジ部と、により構成されている。
嵌合用凹部は、底面よりも下方に突出した側壁に下方から嵌合させることができるように、縦断面が上方に開口したコの字状になるように形成すればよい。
また、通常、収納ボックスは、底面よりも側壁の上端部の方が広くなるように縦断面が逆ハの字状に形成されているため、嵌合用凹部の所定の位置から水平方向に突出するフランジ部は、収納ボックス同士を連結した際に、収納ボックスの側壁の外周面の側に突出するように設ける。
さらに、嵌合用凹部のどの位置においてフランジ部を設けるかについては、収納ボックスの側壁の上端部及び下端部により形成される開口部の大きさを考慮して適時選択することができる。
即ち、収納ボックスの側壁の上端部及び下端部により形成される開口部の大きさが同じ場合には、嵌合用凹部の最下端部にフランジ部を設ける必要があるが、収納ボックスの側壁の上端部により形成される開口部の大きさが、収納ボックスの側壁の下端部により形成される開口部の大きさよりも大きい場合には、嵌合用凹部の任意の位置から収納ボックスの側壁の外周面側に突出するようにフランジ部を設けることができる。
以上のように、収納ボックス用スタンドを構成したので、嵌合用凹部を第一の収納ボックスの側壁の下端部に嵌合し、第二の収納ボックスの側壁の上端部にフランジ部を載せることにより、これらの第一の収納ボックスと第二の収納ボックスとを連結することができるようになる。
ここで、収納ボックス用スタンドの嵌合用凹部には、この嵌合用凹部から上方に突出し、第一の収納ボックスを支持する第一の突出部を設けておくことにより、第一の収納ボックスと第二の収納ボックスとを連結した際に、第一の収納ボックスを支持し、第一の収納ボックスがぐらついてしまうことを防止することができるようになる。
なお、この第一の突出部の上端部には、第一の収納ボックスの側壁の外周面に形成されている嵌着用の凹部に嵌着する嵌着用凸部を形成しておくことで、第一の収納ボックスをより強固に支持することができるようになる。
また、収納ボックス用スタンドのフランジ部には、このフランジ部から下方に突出し、第二の収納ボックスの側壁の内側面を支持する第二の突出部を設けておくことにより、第一の収納ボックスと第二の収納ボックスとを連結した際に、第二の収納ボックスが動かないように固定することができるようになる。
本発明に係る収納ボックス用スタンドを収納ボックスの側壁のコーナーに取り付ける場合には、この側壁のコーナーの曲線に合わせて、収納ボックス用スタンドも９０°に折曲げておく必要があり、一方、本発明に係る収納ボックス用スタンドを収納ボックスの直線部に取り付ける場合には、本発明に係る収納ボックス用スタンドを直線状に形成する必要がある。
また、本発明は、底面と、前記底面よりも下方に突出した側壁と、を有する複数の収納ボックスと、請求項１乃至６の何れか一項に記載された収納ボックス用スタンドと、を備えることを特徴とする収納ボックスセットを提供する。
【発明の実施の形態】
図１は、本発明の第一の実施形態に係る収納ボックス用スタンド１００及び第一の収納ボックス１０５Ａの下方斜視図であり、図２は、収納ボックス用スタンド１００、第一の収納ボックス１０５Ａ及び第二の収納ボックス１０５Ｂの縦断面図である。
収納ボックス用スタンド１００は、嵌合用凹部１０１と、この嵌合用凹部１０１から水平方向に突出したフランジ部１０２とにより構成されており、嵌合用凹部１０１には、上方に突出する第一の突出部１０３が設けられており、フランジ部１０２には、下方に突出する第二の突出部１０４が設けられている。
ここで、第一の収納ボックス１０５Ａの側壁１０６Ａは底部１０７Ａよりも下方に突出しており、底部１０７Ａよりも下方に突出している側壁１０６Ａの下端部１０６Ａ−ａから、収納ボックス用スタンド１００の嵌合用凹部１０１を側壁１０６Ａに嵌め込むことにより、収納ボックス用スタンド１００は第一の収納ボックス１０５Ａに固定することができるようにされている。
即ち、嵌合用凹部１０１の間隔Ｘは、側壁１０６Ａの幅Ｙとほぼ同一に形成されていることから、この嵌合用凹部１０１を側壁１０６Ａに隙間なく嵌め込むことが出来るようになっている。
嵌合用凹部１０１から上方に突出するように設けられている第一の突出部１０３は、嵌合用凹部１０１を側壁１０６Ａに嵌め込んだ際に、側壁１０６Ａの外周面１０６Ａ−ｂと密着し、側壁１０６Ａを支持するようにされている。
このように、第一の収納ボックス１０５Ａの外周面１０６Ａ−ａに密着する第一の突出部１０３を設けておくことにより、収納ボックス用スタンド１００を第一の収納ボックス１０５Ａに取り付けた際に、第一の収納ボックス１０５Ａがぐらついてしまうことを防止することができるようになる。
なお、図２に表されているように、第一の突出部１０３の上端部１０３ａには、嵌着用凸部１０８が設けられており、この嵌着用凸部１０８は、第一の収納ボックス１０５Ａの側壁１０６Ａの外周面１０６Ａ−ｂに設けられている嵌着用凹部１０９に隙間なく嵌め込むことが出来るようにされているため、第一の突出部１０３と側壁１０６Ａの外周面１０６Ａ−ｂとはより強固に密着することとなる。
嵌合用凹部１０８には、水平方向に突出するようにフランジ部１０２が設けられている。
ここで、フランジ部１０２は、第一の収納ボックス１０５Ａの側壁１０６Ａの外周面１０６Ａ−ｂ側に突出するようにされており、図２に示すように、第二の収納ボックス１０５Ｂの側壁１０６Ｂの上端部１０６Ｂ−ｃに載せることができるようにされている。
なお、フランジ部１０２には、下方に突出する第二の突出部１０４が設けられており、この第二の突出部１０４は、第二の収納ボックス１０５Ｂの側壁１０６Ｂの上端部１０６Ｂ−ｃに収納ボックス用スタンド１００を載せた場合に、第二の収納ボックス１０５Ｂの側壁１０６Ｂの内周面１０６Ｂ−ｄと密着するようにされているため、第一の収納ボックス１０５Ａと第二の収納ボックス１０５Ｂとを強固に連結することができるようにしている。
ここで、本実施形態に係る収納ボックス用スタンド１００は、第一の収納ボックス１０５Ａのコーナー部１１０Ａに取り付けることとしているため、このコーナー部１１０Ａの曲線に合わせて、９０°に折曲げられている。
以上のように、収納ボックス用スタンド１００を構成したので、図３に表しているように、収納ボックス用スタンド１００を第一の収納ボックス１０５Ａの側壁１０６Ａの下端部１０６Ａ−ａから、第一の収納ボックス１０５Ａの四隅に取付けることで、第一の収納ボックス１０５Ａを第二の収納ボックス１０５Ｂに載せることができるようになる。
そして、収納ボックス用スタンド１００は、第一の収納ボックス１０５Ａの側壁１０６Ａの下端部１０６Ａ−ａから、第一の収納ボックス１０５Ａに取り付けているため、第一の収納ボックス１０５Ａの上方、即ち、図３のＳ方向から衣服等を入れる場合にも、この収納ボックス用スタンド１００が邪魔になることはない。
なお、本実施形態では、第二の収納ボックスの１０５Ｂの側壁１０６Ｂの下端部１０６Ｂ−ａにも収納ボックス用スタンド１００を取り付けている。
ここで、収納ボックス用スタンド１００は、収納ボックス用スタンド１００単品でも生産、販売、使用等が可能であるほか、図３に表されているように、第一の収納ボックス１０５Ａ及び第二の収納ボックス１０５Ｂを連結させた状態で、収納ボックスセットとしても生産、販売、使用等が可能である。
図４は、本発明の第二の実施形態に係る収納ボックス用スタンド２００の下方斜視図である。
本実施形態に係る収納ボックス用スタンド２００は、第一の収納ボックス１０５Ａの側壁１０６Ａの直線部１１１Ａに取り付ける関係上、第一の実施形態に係る収納ボックス用スタンド１００と異なり、直線状に形成されている他は、第一の実施形態に係る収納ボックス用スタンド１００と同様の構成を有している。
しかしながら、本実施形態では、直線状に収納ボックス用スタンド２００を構成したので、第一の収納ボックス１０５Ａに収納ボックス用スタンドを取り付けた場合でも、第一の収納ボックス１０５Ａを図４のＴ又はＴ’方向に動かすことができるようになるとともに、第一の収納ボックス１０５ＡをＴ又はＴ’方向にずらして、第二の収納ボックスと連結させることができるようになる。
【発明の効果】
以上のように、本発明によれば、収納ボックスに物を入れる際に邪魔にならず、また、収納ボックス同士をずらして連結することができる収納ボックス用スタンド及びこのような収納ボックス用スタンドを備える収納ボックスセットを提供することができる。
【図面の簡単な説明】
【図１】第一の実施形態に係る収納ボックス用スタンド１００及び第一の収納ボックス１０５Ａの下方斜視図。
【図２】収納ボックス用スタンド１００、第一の収納ボックス１０５Ａ及び第二の収納ボックス１０５Ｂの縦断面図。
【図３】収納ボックス用スタンド１００の使用例。
【図４】第二の実施形態に係る収納ボックス用スタンド２００の上方斜視図。
【図５】従来の収納ボックス３２０の上方斜視図。
【図６】従来の収納ボックス用スタンド４００の上方斜視図。
【符号の説明】
１００、２００  収納ボックス
１０１  嵌合用凹部
１０２  フランジ部
１０３  第一の突出部
１０４  第二の突出部
１０５  収納ボックス
１０６  側壁
１０７  底面
１０８  嵌着用凸部
１０９  嵌着用凹部
１１０  コーナー部
１１１  直線部
【図１】
2004210348.tif 000003
【図２】
2004210348.tif 000004
【図３】
2004210348.tif 000005
【図４】
2004210348.tif 000006
【図５】
2004210348.tif 000007
【図６】
2004210348.tif 000008